(57)【特許請求の範囲】
【請求項１】
基地局間を同期する方法であって、
第１基地局が、ユーザ装置により送信された同期情報を受信する、前記第１基地局は前記ユーザ装置のサービング基地局であるステップと、
前記第１基地局が、前記同期情報に従って前記第１基地局のダウンリンク送信時点とアップリンク受信時点を調節して、前記第１基地局のダウンリンク送信時点と第２基地局のダウンリンク送信時点との間の一貫性を保ち、第１基地局のアップリンク受信時点と第２基地局のアップリンク受信時点との間の一貫性を保つようにする、前記第２基地局は同期時間基準として機能するステップと、を有し、
前記同期情報は、前記第２基地局のダウンリンク送信時点及び／又は前記第２基地局のアップリンク受信時点を含み、
前記第１基地局が、前記同期情報に応じて前記第１基地局のダウンリンク送信時点とアップリンク受信時点とを調節するステップは、
第２基地局のダウンリンク送信時点と前記第２基地局のアップリンク受信時点が異なり、同期情報が、第２基地局のダウンリンク送信時点とアップリンク受信時点とを含む時、第１基地局は、第２基地局のダウンリンク送信時点に従って、第１基地局のダウンリンク送信時点を第２基地局のダウンリンク送信時点と一致するように調節し、前記第１基地局が、第２基地局のアップリンク受信時点に従って、第１基地局のアップリンク受信時点を第２基地局のアップリンク受信時点と一致するように調節するステップ、又は
第２基地局のダウンリンク送信時点と前記第２基地局のアップリンク受信時点が同じであり、同期情報が第２基地局のダウンリンク送信時点又は前記第２基地局のアップリンク受信時点を含む時、第１基地局が、第２基地局のダウンリンク送信時点又は前記第２基地局のアップリンク受信時点に応じて、第１基地局のダウンリンク送信時点と前記第１基地局のアップリンク受信時点を第２基地局のダウンリンク送信時点又は前記第２基地局のアップリンク受信時点と一致するように調節するステップを有する、
方法。
【請求項２】
同期情報は、第１基地局のダウンリンク送信時点と第２基地局のダウンリンク送信時点との間の時間差、及び／又は第１基地局のアップリンク受信時点と第２基地局のアップリンク受信時点との間の時間差を含む、
請求項１に記載の方法。
【請求項３】
前記第１基地局が、前記同期情報に応じて前記第１基地局のダウンリンク送信時点とアップリンク受信時点とを調節するステップは、
同期情報が第１基地局のダウンリンク送信時点と第２基地局のダウンリンク送信時点との間の時間差と、第１基地局のアップリンク受信時点と第２基地局のアップリンク受信時点との間の時間差とを含む時、第１基地局が、第１基地局のダウンリンク送信時点と第２基地局のダウンリンク送信時点との間の時間差に応じて、第１基地局のダウンリンク送信時点を第２基地局のダウンリンク送信時点と一致するように調節し、第１基地局が、第１基地局のアップリンク受信時点と第２基地局のアップリンク受信時点との間の時間差に応じて、第１基地局のアップリンク受信時点を第２基地局のアップリンク受信時点と一致するように調節するステップ、又は
第２基地局のダウンリンク送信時点と前記第２基地局のアップリンク受信時点とが同じであり、同期情報が第１基地局のダウンリンク送信時点と第２基地局のダウンリンク送信時点との間の時間差、又は第１基地局のアップリンク受信時点と第２基地局のアップリンク受信時点との間の時間差を含む時、第１基地局が、第１基地局のダウンリンク送信時点と第２基地局のダウンリンク送信時点との間の時間差、又は第１基地局のアップリンク受信時点と第２基地局のアップリンク受信時点との間の時間差に応じて、第１基地局のダウンリンク送信時点を第２基地局のダウンリンク送信時点と一致するように、及び第１基地局のアップリンク受信時点を第２基地局のアップリンク受信時点と一致するように、調節するステップを有する、
請求項２に記載の方法。
【請求項４】
第１基地局が、ユーザ装置により送信された同期情報を受信する前に、前記方法は、さらに、
第１基地局が、ユーザ装置に命令メッセージを送信するステップを有し、
前記命令メッセージは、ユーザ装置に、前記命令メッセージ受信後に同期情報をレポートするように命令するために用いられ、又は前記命令メッセージは、期間値を担い、前記命令メッセージは、ユーザ装置に、前記期間値に従って同期情報を周期的にレポートするように命令するために用いられる、
請求項１ないし３いずれか一項に記載の方法。
【請求項５】
基地局間を同期する方法であって、
ユーザ装置が、同期情報を取得するステップと、
ユーザ装置が、第１基地局に同期情報を送信するステップとを有し、第１基地局はユーザ装置のサービング基地局であり、同期情報は、第１基地局が第１基地局のダウンリンク送信時点と前記第１基地局のアップリンク受信時点とを調整するのに用いられ、第１基地局のダウンリンク送信時点と第２基地局のダウンリンク送信時点との間の一貫性を保ち、第１基地局のアップリンク受信時点と第２基地局のアップリンク受信時点との間の一貫性を保つようにし、第２基地局は同期時間基準として機能し、
ユーザ装置が、同期情報を取得するステップは、前記ユーザ装置が、第１基地局のダウンリンク送信時点と第２基地局のダウンリンク送信時点との間の時間差を取得し、及び／又は、第１基地局のアップリンク受信時点と第２基地局のアップリンク受信時点との間の時間差を取得するステップを有し、
前記ユーザ装置が、第１基地局のダウンリンク送信時点と第２基地局のダウンリンク送信時点との間の時間差を取得するステップは、ユーザ装置が、前記ユーザ装置が第１基地局により送信されたダウンリンクフレームを受信する時点と、ユーザ装置と第１基地局との間の伝搬遅延とにより、第１基地局のダウンリンク送信時点を取得し、前記ユーザ装置が第２基地局により送信されたダウンリンクフレームを受信する時点と、ユーザ装置と第２基地局との間の伝搬遅延とにより、第２基地局のダウンリンク送信時点を取得し、第１基地局のダウンリンク送信時点と第２基地局のダウンリンク送信時点とにより、第１基地局のダウンリンク送信時点と第２基地局のダウンリンク送信時点との間の時間差を取得するステップを有し、
前記ユーザ装置が、第１基地局のアップリンク受信時点と第２基地局のアップリンク受信時点との間の時間差を取得するステップは、ユーザ装置が、前記ユーザ装置が第１基地局へのアップリンクフレームを送信する時点と、ユーザ装置と第１基地局との間の伝搬遅延とにより、第１基地局のアップリンク受信時点を取得し、ユーザ装置が第２基地局へのアップリンクフレームを送信する時点と、ユーザ装置と第２基地局との間の伝搬遅延とにより、第２基地局のアップリンク受信時点を取得し、第１基地局のアップリンク受信時点と第２基地局のアップリンク受信時点とにより、第１基地局のアップリンク受信時点と第２基地局のアップリンク受信時点との間の時間差を取得するステップを有する、
方法。
【請求項６】
ユーザ装置が、同期情報を取得するステップは、ユーザ装置が、第２基地局のダウンリンク送信時点及び／又は前記第２基地局のアップリンク受信時点を取得するステップを有する、請求項５に記載の方法。
【請求項７】
ユーザ装置が第２基地局のダウンリンク送信時点を取得するステップは、ユーザ装置が、前記ユーザ装置が第２基地局により送信されたダウンリンクフレームを受信する時点と、前記ユーザ装置と前記第２基地局との間の伝搬遅延とにより、第２基地局のダウンリンク送信時点を取得するステップを有し、
前記ユーザ装置が、第２基地局のアップリンク受信時点を取得するステップは、前記ユーザ装置が、前記ユーザ装置が前記第２基地局にアップリンクフレームを送信する時点と、前記ユーザ装置と前記第２基地局との間の伝搬遅延とにより、第２基地局のアップリンク受信時点を取得するステップを有する、
請求項６に記載の方法。
【請求項８】
前記ユーザ装置が同期情報を取得するステップの前に、
第１基地局が、ユーザ装置に命令メッセージを送信するステップをさらに有し、前記命令メッセージは、ユーザ装置に、前記命令メッセージ受信後に同期情報を送信するように命令するために用いられ、又は前記命令メッセージは期間値を担い、前記命令メッセージは、ユーザ装置に、前記期間値に従って同期情報を周期的にレポートするように命令するために用いられる、
請求項５ないし７いずれか一項に記載の方法。
【請求項９】
第１基地局として機能し、ユーザ装置のサービング基地局である基地局であって、
前記ユーザ装置により送信され送信された同期情報を受信するように構成された受信部と、
前記受信部により受信された同期情報に従って、第１基地局のダウンリンク送信時点と前記第１基地局のアップリンク受信時点とを調整し、第１基地局のダウンリンク送信時点と第２基地局のダウンリンク送信時点との間の一貫性を保ち、第１基地局のアップリンク受信時点と第２基地局のアップリンク受信時点との間の一貫性を保ち、第２基地局は同期時間基準として機能するように構成された調整部とを有し、
同期情報は、第２基地局のダウンリンク送信時点及び／又は前記第２基地局のアップリンク受信時点を含み、
前記調整部は、第２基地局のダウンリンク送信時点と前記第２基地局のアップリンク受信時点が異なり、
同期情報が第２基地局のダウンリンク送信時点と前記第２基地局のアップリンク受信時点を含む時、第２基地局のダウンリンク送信時点に従って、第１基地局のダウンリンク送信時点を第２基地局のダウンリンク送信時点と一致するように調節し、第２基地局のアップリンク受信時点に従って、第１基地局のアップリンク受信時点を第２基地局のアップリンク受信時点と一致するように調節するように構成され、又は
前記調節部は、第２基地局のダウンリンク送信時点と前記第２基地局のアップリンク受信時点が同じであり、同期情報が第２基地局のダウンリンク送信時点又は前記第２基地局のアップリンク受信時点を含むとき、第２基地局のダウンリンク送信時点と前記第２基地局のアップリンク受信時点とに従って、第１基地局のダウンリンク送信時点及び第１基地局のアップリンク受信時点を第２基地局のダウンリンク送信時点又は前記第２基地局のアップリンク受信時点と一致するように調節するように構成されている、
基地局。
【請求項１０】
同期情報は、第１基地局のダウンリンク送信時点と第２基地局のダウンリンク送信時点との間の時間差、及び／又は第１基地局のアップリンク受信時点と第２基地局のアップリンク受信時点との間の時間差を含み、
前記調整部は、同期情報が第１基地局のダウンリンク送信時点と第２基地局のダウンリンク送信時点との間の時間差と、第１基地局のアップリンク受信時点と第２基地局のアップリンク受信時点との間の時間差とを含む時、第１基地局のダウンリンク送信時点と第２基地局のダウンリンク送信時点との間の時間差に応じて、第１基地局のダウンリンク送信時点を第２基地局のダウンリンク送信時点と一致するように調節し、第１基地局のアップリンク受信時点と第２基地局のアップリンク受信時点との間の時間差に応じて、第１基地局のアップリンク受信時点を第２基地局のアップリンク受信時点と一致するように調節するように構成され、又は
前記調整部は、第２基地局のダウンリンク送信時点と前記第２基地局のアップリンク受信時点とが同じであり、同期情報が第１基地局のダウンリンク送信時点と第２基地局のダウンリンク送信時点との間の時間差、又は第１基地局のアップリンク受信時点と第２基地局のアップリンク受信時点との間の時間差を含む時、第１基地局のダウンリンク送信時点と第２基地局のダウンリンク送信時点との間の時間差、又は第１基地局のアップリンク受信時点と第２基地局のアップリンク受信時点との間の時間差に応じて、第１基地局のダウンリンク送信時点を第２基地局のダウンリンク送信時点と一致するように、及び第１基地局のアップリンク受信時点を第２基地局のアップリンク受信時点と一致するように、調節するように構成されている、
請求項９に記載の基地局。
【請求項１１】
第１基地局はさらに、ユーザ装置に命令メッセージを送信する送信部を有し、前記命令メッセージは、ユーザ装置に、前記命令メッセージ受信後に同期情報をレポートするように命令するために用いられ、又は前記命令メッセージは、期間値を担い、前記命令メッセージは、ユーザ装置に、前記期間値に従って同期情報を周期的にレポートするように命令するために用いられる、請求項９ないし１０いずれか一項に記載の基地局。
【請求項１２】
ユーザ装置であって、
同期情報を取得するように構成された取得部と、
ユーザ端末のサービング基地局に、前記取得部が取得した同期情報を送信するように構成されている送信部であって、同期情報は、サービング基地局がそのサービング基地局のダウンリンク送信時点と前記サービング基地局のアップリンク受信時点を調節し、サービング基地局のダウンリンク送信時点と第２基地局のダウンリンク送信時点との間の一貫性を維持し、サービング基地局のアップリンク受信時点と第２基地局のアップリンク受信時点との間の一貫性を維持するように用いられ、前記第２基地局は同期時間基準として機能し、
同期情報は、第１基地局のダウンリンク送信時点と第２基地局のダウンリンク送信時点との間の時間差、及び／又は第１基地局のアップリンク受信時点と第２基地局のアップリンク受信時点との間の時間差を含み、
前記取得部は、第１基地局のダウンリンク送信時点と第２基地局のダウンリンク送信時点との間の時間差を取得し、及び／又は、第１基地局のアップリンク受信時点と第２基地局のアップリンク受信時点との間の時間差を取得するように構成され、
前記取得部は、
ユーザ装置が第１基地局により送信されたダウンリンクフレームを受信する時点と、ユーザ装置と第１基地局との間の伝搬遅延とにより、第１基地局のダウンリンク送信時点を取得し、第２基地局により送信されたダウンリンクフレームを受信する時点と、ユーザ装置と第２基地局との間の伝搬遅延とにより、第２基地局のダウンリンク送信時点を取得し、第１基地局のダウンリンク送信時点と第２基地局のダウンリンク送信時点とにより、第１基地局のダウンリンク送信時点と第２基地局のダウンリンク送信時点との間の時間差を取得するように構成された第３副取得部、及び／又は
ユーザ装置が第１基地局へのアップリンクフレームを送信する時点と、ユーザ装置と第１基地局との間の伝搬遅延とにより、第１基地局のアップリンク受信時点を取得し、ユーザ装置が第２基地局にアップリンクフレームを送信する時点と、ユーザ装置と第２基地局との間の伝搬遅延とにより、第２基地局のアップリンク受信時点を取得し、第１基地局のアップリンク受信時点と第２基地局のアップリンク受信時点とにより、第１基地局のアップリンク受信時点と第２基地局のアップリンク受信時点との間の時間差を取得するように構成された第４副取得部とを有する、
ユーザ装置。
【請求項１３】
同期情報は、第２基地局のダウンリンク送信時点及び／又は前記第２基地局のアップリンク受信時点を含み、
前記取得部は、第２基地局のダウンリンク送信時点と前記第２基地局のアップリンク受信時点を取得するように構成されている、
請求項１２に記載のユーザ装置。
【請求項１４】
前記取得部は、
前記ユーザ装置が第２基地局により送信されたダウンリンクフレームを受信する時点と、前記ユーザ装置と前記第２基地局との間の伝搬遅延とにより、第２基地局のダウンリンク送信時点を取得するように構成された第１副取得部と、
前記ユーザ装置が第２基地局により送信されたアップリンクフレームを受信する時点と、前記ユーザ装置と前記第２基地局との間の伝搬遅延とにより、第２基地局のアップリンク受信時点を取得するように構成された第２副取得部と、
請求項１３に記載のユーザ装置。
【請求項１５】
第１基地局により送信された命令メッセージを受信するように構成された受信部をさらに有し、前記命令メッセージは、ユーザ装置に、前記命令メッセージ受信後に同期情報を送信するように命令するために用いられ、又は前記命令メッセージは期間値を担い、前記命令メッセージは、ユーザ装置に、前記期間値に従って同期情報を周期的にレポートするように命令するために用いられる、請求項１２ないし１４いずれか一項に記載のユーザ装置。
【請求項１６】
請求項９ないし１１いずれか一項に記載の基地局と、請求項１２ないし１５いずれか一項に記載のユーザ装置とを有する通信システム。
【発明の詳細な説明】
【技術分野】
【０００１】
本発明は、無線通信技術の分野に関し、特に基地局間を同期する技術に関する。
【背景技術】
【０００２】
無線ネットワーク技術の発達により、マクロセル、ピコセル、フェムトセルなどの異なる無線ネットワークが現れた。各セルは、ユーザ装置（ＵＥ）が所在するあるエリアにサービスすることができる。各基地局は複数のセルを管理できる。送信パワーとカバレッジとは基地局ごとに異なる。（マクロ基地局などの）高出力基地局の場合、送信パワーは比較的大きく、カバレッジは比較的大きい。例えば、一般的に、マクロ基地局の送信パワーは数十ワットであり、カバレッジ半径は５００〜１０００ｍである。（フェムト基地局やピコ基地局などの）低出力基地局の場合、送信パワーは比較的小さく、カバレッジは比較的小さい。例えば、一般的に、フェムト基地局のカバレッジ半径は約１０ｍである。基地局はダウンリンクとアップリンクを通じてＵＥと通信する。基地局からＵＥへの一方向通信リンクがダウンリンクと呼ばれ、ＵＥから基地局への一方向通信リンクがアップリンクと呼ばれる。
【０００３】
複数の無線ネットワークを含む異種ネットワークでは、電磁波ソースが同じため、異なる無線ネットワークのセルが互いに干渉し、その結果として互いに干渉するセルの信号品質を悪化させる。セル干渉を防止かつ調整するには、まず、干渉するセル間の送信同期をインプリメントしなければならず、さらなる干渉は高位レイヤにおけるリソーススケジューリングにより回避できる。ＯＦＤＭ（Orthogonal  Frequency  Division  Multiple）伝送技術を用いるネットワークの場合、送信同期の要件は比較的厳しい。送信同期エラーが１ＣＰ（サイクリックプレフィックス、Cycle  Prefix）内であることが要求される。
【０００４】
先行技術では、基地局間の同期は、同期時間を調節する必要がある低出力基地局と、同期時間基準として機能する高出力基地局との間の同期問題を解決するために主に用いられる。その主なコンセプトは、同期時間とそのカバレッジとを調節する必要のある低出力基地局を処理ポイントとして取ることである。それゆえ、この方法の適用範囲は限られている。この方法は、同期時間を調整する必要がある低出力基地局と同期時間基準として機能する高出力基地局との間の同期のみに適用でき、他の基地局同期シナリオには適用できない。
【発明の概要】
【０００５】
本発明の実施形態は、基地局間を同期する方法、装置及びシステムを提供する。これを用いて、先行技術における基地局同期方法における適用範囲が限定されるとの問題を解決し、適用可能範囲を拡大できる。
【０００６】
一態様において、本発明は、基地局間を同期する方法であって、該方法は、第１基地局がユーザ装置により送信された同期情報を受信する、前記第１基地局は前記ユーザ装置のサービング基地局であるステップと、前記第１基地局が、前記同期情報に従って、第１基地局のダウンリンク送信時点とアップリンク受信時点とを調整し、第１基地局のダウンリンク送信時点と、第２基地局は同期時間基準として機能する第２基地局のダウンリンク送信時点との間の一貫性を保ち、第１基地局のアップリンク受信時点と第２基地局のアップリンク受信時点との間の一貫性を保つステップとを有する。
【０００７】
他の一態様において、本発明は、基地局間を同期する方法であって、該方法は、ユーザ装置が、同期情報を取得するステップと、ユーザ装置が、第１基地局に同期情報を送信するステップとを有し、第１基地局はユーザ装置のサービング基地局であり、同期情報は、第１基地局が第１基地局のダウンリンク送信時点とアップリンク受信時点とを調整するのに用いられ、第１基地局のダウンリンク送信時点と、第２基地局は同期時間基準として機能する第２基地局のダウンリンク送信時点との間の一貫性を保ち、第１基地局のアップリンク受信時点と第２基地局のアップリンク受信時点との間の一貫性を保つようにする。
【０００８】
さらに他の一態様において、本発明は、第１基地局として機能し、ユーザ装置のサービング基地局である基地局であって、前記ユーザ装置により送信され送信された同期情報を受信するように構成された受信部と、前記受信部により受信された同期情報に従って、第１基地局のダウンリンク送信時点とアップリンク受信時点とを調整し、第１基地局のダウンリンク送信時点と、同期時間基準として機能する第２基地局のダウンリンク送信時点との間の一貫性を保ち、第１基地局のアップリンク受信時点と第２基地局のアップリンク受信時点との間の一貫性を保つように構成された調節部とを有する。
【０００９】
さらに他の一態様において、本発明はさらに、ユーザ装置であって、同期情報を取得するように構成された取得部と、ユーザ端末のサービング基地局に同期情報を送信するように構成されている送信部とを有し、同期情報は、サービング基地局がそのサービング基地局のダウンリンク送信時点とアップリンク受信時点を調節し、サービング基地局のダウンリンク送信時点と、同期時間基準として機能する第２基地局のダウンリンク送信時点との間の一貫性を維持し、サービング基地局のアップリンク受信時点と第２基地局のアップリンク受信時点との間の一貫性を維持するように用いられる。
【００１０】
さらに他の一態様では、本発明はさらに、上記の基地局及びユーザ装置を含む通信システムを提供する。
【００１１】
上記の技術的ソリューションにおいて、同期時間を調節する必要がある基地局は、その基地局によりサーブされているユーザ装置によりレポートされる同期情報に従って、基地局のダウンリンク送信時点とアップリンク受信時点を調節し、同期時間を調節する必要がある基地局のダウンリンク送信時点と、同期時間基準として機能する基地局のダウンリンク送信時点とアップリンク送信時点との間の一貫性を維持し、同期時間を調節する必要がある基地局のアップリンク受信時点と同期時間基準として機能する基地局のアップリンク受信時点との間の一貫性を維持するようにし、基地局間の同期をインプリメントする。基地局間を同期する上記の技術的ソリューションでは、同期時間をポイントとして調節する必要がある基地局のカバレッジを仮定する必要はない。それゆえ、適用範囲は、大きく、同期時間を調節する必要がある低出力基地局と、同期時間基準として機能する高出力基地局との間の同期に限定されない。
【図面の簡単な説明】
【００１２】
本発明の実施形態の技術的解決手段をより明確に説明するため、以下に実施形態を説明するのに必要な添付図面を簡単に説明する。言うまでもなく、以下に説明する添付図面は、本発明の実施形態を示すだけであり、本技術分野の当業者は、創作的努力をせずとも、これらの添付図面から他の図面に想到することもできるだろう。
【図１】本発明の一実施形態による基地局間の同期方法を示すフローチャートである。
【図２】本発明の一実施形態に適用できる第１のシナリオにおけるシステムを示す構成図である。
【図３】本発明の一実施形態に適用できる第２のシナリオにおけるシステムを示す構成図である。
【図４】本発明の一実施形態によるダウンリンク送信を示す図である。
【図５】本発明の一実施形態によるアップリンク送信を示す図である。
【図６】本発明の他の一実施形態による基地局間の同期方法を示すフローチャートである。
【図７】本発明の他の一実施形態による基地局間の同期方法を示すフローチャートである。
【図８】本発明の他の一実施形態による基地局間の同期方法を示すフローチャートである。
【図９】本発明の一実施形態による基地局を示す構成図である。
【図１０】本発明の一実施形態によるユーザ装置を示す構成図である。
【図１１】本発明の一実施形態による通信システムを示す構成図である。
【発明を実施するための形態】
【００１３】
本発明の目的、技術的解決手段、実施形態の効果をより明確にするため、以下に、本発明の実施形態の添付図面を参照して、本発明の実施形態の技術的解決手段を明確かつ完全に説明する。言うまでもなく、説明する実施形態は、本発明の実施形態のすべてではなく、一部だけである。本技術分野の当業者によって創作的努力を要せずに本発明の実施形態に基づき得られる他の実施形態はすべて、本発明の保護範囲内に入る。
【００１４】
図１は、本発明の一実施形態による基地局間の同期方法を示すフローチャートである。該方法は次の内容を含む。
【００１５】
１１:第１基地局はユーザ装置により送信された同期情報を受信する。第１基地局はユーザ装置のサービング基地局（serving  base  station）である。
【００１６】
１２:第１基地局は、同期情報に従って第１基地局のダウンリンク送信時点とアップリンク受信時点を調節して、第１基地局のダウンリンク送信時点と同期時間基準として機能する第２基地局のダウンリンク送信時点との間の一貫性を保ち、第１基地局のアップリンク受信時点と第２基地局のアップリンク受信時点との間の一貫性を保つようにする。
【００１７】
この実施形態では、第１基地局は、第１基地局によりサーブされたユーザ装置によりレポートされた同期情報に従って、第１基地局のダウンリンク送信時点とアップリンク受信時点とを調節し、第１基地局のダウンリンク送信時点と、同期時間基準として機能する第２基地局のダウンリンク送信時点との間の一貫性を保ち、第１基地局のアップリンク受信時点と、同期時間基準として機能する第２基地局のアップリンク受信時点との間の一貫性を保ち、それにより第１基地局と第２基地局との間の同期を実現する。基地局間を同期する上記の技術的ソリューションでは、同期時間をポイントとして調節する必要がある基地局（すなわち第１基地局）のカバレッジを仮定する必要はない。それゆえ、適用範囲は、大きく、同期時間を調節する必要がある低出力基地局と、同期時間基準として機能する高出力基地局との間の同期に限定されない。
【００１８】
任意的に、同期情報は、第２基地局のダウンリンク送信時点及び／又はアップリンク受信時点を含む。第２基地局のダウンリンク送信時点とアップリンク受信時点が異なり、同期情報が第２基地局のダウンリンク送信時点とアップリンク受信時点とを含む時、第１基地局は、第２基地局のダウンリンク送信時点に従って、第１基地局のダウンリンク送信時点を第２基地局のダウンリンク送信時点と一致するように調節し、第２基地局のアップリンク受信時点に従って、第１基地局のアップリンク受信時点を第２基地局のアップリンク受信時点と一致するように調節する。あるいは、第２基地局のダウンリンク送信時点とアップリンク受信時点が同じであり、同期情報が第２基地局のダウンリンク送信時点とアップリンク受信時点とを含む時、第１基地局は、第２基地局のダウンリンク送信時点又はアップリンク受信時点に従って、第１基地局のダウンリンク送信時点とアップリンク受信時点を第２基地局のダウンリンク送信時点又はアップリンク受信時点と一致するように調節する。
【００１９】
任意的に、同期情報は、第１基地局のダウンリンク送信時点と第２基地局のダウンリンク送信時点との間の時間差、及び／又は第１基地局のアップリンク受信時点と第２基地局のアップリンク受信時点との間の時間差を含む。同期情報が、第１基地局のダウンリンク送信時点と第２基地局のダウンリンク送信時点との間の時間差、及び第１基地局のアップリンク受信時点と第２基地局のアップリンク受信時点との間の時間差を含む時、第１基地局は、第１基地局のダウンリンク送信時点と第２基地局のダウンリンク送信時点との間の時間差に応じて、第１基地局のダウンリンク送信時点を第２基地局のダウンリンク送信時点と一致するように調節し、第１基地局のアップリンク受信時点と第２基地局のアップリンク受信時点との間の時間差に応じて、第１基地局のアップリンク受信時点を第２基地局のアップリンク受信時点と一致するように調節する。あるいは、第２基地局のダウンリンク送信時点とアップリンク受信時点とが同じであり、同期情報が、第１基地局のダウンリンク送信時点と第２基地局のダウンリンク送信時点との間の時間差、又は第１基地局のアップリンク受信時点と第２基地局のアップリンク受信時点との間の時間差を含む場合、第１基地局のダウンリンク送信時点と第２基地局のダウンリンク送信時点との間の時間差、又は第１基地局のアップリンク受信時点と第２基地局のアップリンク受信時点との間の時間差に応じて、第１基地局は、第１基地局のダウンリンク送信時点を第２基地局のダウンリンク送信時点と一致するように調節し、第１基地局のアップリンク受信時点を第２基地局のアップリンク受信時点と一致するように調節する。
【００２０】
任意的に、第１基地局がユーザ装置により送信された同期情報を受信する前に、上記方法はさらに次のステップを含む：  第１基地局はユーザ装置に命令メッセージを送信する。前記命令メッセージは、ユーザ装置に、前記命令メッセージ受信後に同期情報をレポートするように命令するために用いられ、又は前記命令メッセージは、期間値を担い、前記命令メッセージは、ユーザ装置に、前記期間値に従って同期情報を周期的にレポートするように命令するために用いられる。
【００２１】
本発明の実施形態では、同期時間を調節する必要がある基地局は、小出力基地局に限定されず、図２又は図３に示したシナリオに当てはまる。
【００２２】
図２は、本発明の一実施形態に適用できる第１のシナリオにおけるシステムを示す構成図である。図２を参照して、この実施形態はつぎの要素に当てはまる：同期時間基準として機能する基地局は、高出力基地局（ＢＳ２）であり、例えばマクロ基地局である。及び、同期時間を調節する必要がある基地局は小出力基地局（ＢＳ１）であり、例えばピコ基地局やフェムト基地局である。ＢＳ２はＵＥ２のサービング基地局（serving  base  station）であり、ＢＳ１はＵＥ１のサービング基地局である。小出力基地局のカバレッジは大出力基地局のカバレッジ内にあり、ＵＥ２はＢＳ１のカバレッジ内であり、さらにＢＳ１のカバレッジ内にある。図２に示したように、実線は通信リンクを示し、破線は干渉リンクを示す。
【００２３】
図３は、本発明の一実施形態に適用できる第２のシナリオにおけるシステムを示す構成図である。図３を参照して、この実施形態はつぎの要素に当てはまる：同期時間基準として機能する基地局が高出力基地局（ＢＳ２）であり、例えばマクロ基地局であり、同期時間を調節する必要がある基地局が大出力基地局（ＢＳ１）であり、例えばマクロ基地局であるシナリオ。ＢＳ２はＵＥ２のサービング基地局（serving  base  station）であり、ＢＳ１はＵＥ１のサービング基地局である。２つの基地局のカバレッジ間には重なったエリアがあり、ＵＥ１とＵＥ２はその重なったエリアにある。図３に示したように、実線は通信リンクを示し、破線は干渉リンクを示す。
【００２４】
上記の２つのシナリオでは、ＢＳ１は同期時間を調節する必要がある基地局であり、ＢＳ２は同期時間基準として機能する基地局である；ＢＳ１はＵＥ１のサービング基地局であり、ＢＳ２はＵＥ２のサービング基地局である；ダウンリンク方向では、ＵＥ１はＢＳ１からダウンリンクフレームを受信し、ＢＳ２からダウンリンクフレームを受信し、ＢＳ１はＵＥ１からアップリンクフレームを受信し、ＵＥ２からアップリンクフレームを受信する。以下、本発明のインプリメンテーションプロセスを説明するため、ダウンリンク方向とアップリンク方向を別々に説明する。
【００２５】
図４は、本発明の一実施形態によるダウンリンク送信を示す図である。図４を参照するに、パラメータの意味は以下の通りである：
（外１）
0005764666.tif 000002
:ＢＳ２のＵＥ２に対するダウンリンク送信時点、すなわちＢＳ２がＵＥ２にダウンリンクフレームを送信する時点；
（外２）
0005764666.tif 000003
:ＵＥ１とＢＳ２との間の伝搬遅延；
（外３）
0005764666.tif 000004
:ＢＳ１のダウンリンク送信時点とＢＳ２のダウンリンク送信時点との間の時間差；
（外４）
0005764666.tif 000005
:ＢＳ１のＵＥ１に対するダウンリンク送信時点；
（外５）
0005764666.tif 000006
:ＵＥ１とＢＳ１との間の伝搬遅延；
（外６）
0005764666.tif 000007
:ＵＥ１がＢＳ２により送信されたダウンリンクフレームを受信する時点；
（外７）
0005764666.tif 000008
:ＵＥ１がＢＳ１により送信されたダウンリンクフレームを受信する時点；
（外８）
0005764666.tif 000009
:ＵＥ１がＢＳ１により送信されたダウンリンクフレームを受信する時とＵＥ１がＢＳ２により送信されたダウンリンクフレームを受信する時の間の時間差。
【００２６】
ＬＴＥ（Long  Term  Evolution）システムを例に取ると、共通ＣＰの長さは
（外９）
0005764666.tif 000010
である。ここで、
（外１０）
0005764666.tif 000011
はベーシックタイムユニット（basic  time  unit）の長さである。干渉をさけるため、送信同期の時間差が１ＣＰの範囲内にあることが要求される。
【００２７】
時間同期を考慮しなければ、ＢＳ１はダウンリンクフレームをいつでも送信できる。それゆえ、ほとんどの場合、
（外１１）
0005764666.tif 000012
の値は１ＣＰの長さより大きく、送信同期の要求を満足しない。
【００２８】
最悪の場合、ＵＥ１はＢＳ２に近いが、ＢＳ１から遠い。かかる場合、
（外１２）
0005764666.tif 000013
である。それゆえ、ＢＳ１のダウンリンク送信時点
（外１３）
0005764666.tif 000014
を調節することにより、上記の
（外１４）
0005764666.tif 000015
は、送信同期の要求を満たし、例えば、
（外１５）
0005764666.tif 000016
となる。
【００２９】
特に、ＢＳ１のダウンリンク送信時点をＢＳ２のダウンリンク送信時点と一致するように調節する場合、すなわち、
（外１６）
0005764666.tif 000017
である場合、最悪の場合には、
（外１７）
0005764666.tif 000018
である。例えば、カバレッジが１０００ｍであるマクロ基地局の場合、基地局とＵＥとの間の伝搬遅延は、
（外１８）
0005764666.tif 000019
である。上記の計算に基づき、１ＣＰの長さは約４．７μｓである。最大伝搬遅延は３．３３μｓなので、ＢＳ１のダウンリンク送信時点をＢＳ２のダウンリンク送信時点と一致するように調節すると、送信同期に対する要求が満たせる。
【００３０】
図５は、本発明の一実施形態によるアップリンク送信を示す図である。図５を参照するに、パラメータの意味は以下の通りである：
（外１９）
0005764666.tif 000020
:ＢＳ２のＵＥ２に対するアップリンク送信時点、すなわちＢＳ２がＵＥ２により送信されたアップリンクフレームを受信する時点；
（外２０）
0005764666.tif 000021
:ＵＥ２とＢＳ２との間の伝搬遅延；
（外２１）
0005764666.tif 000022
:ＢＳ１のアップリンク受信時点とＢＳ２のアップリンク受信時点との間の時間差；
（外２２）
0005764666.tif 000023
:ＢＳ１のＵＥ１に対するアップリンク送信時点；
（外２３）
0005764666.tif 000024
:ＢＳ１がＵＥ１により送信されたアップリンクフレームを受信する時と、ＢＳ１がＵＥ２により送信されたアップリンクフレームを受信する時の間の時間差。
【００３１】
最悪の場合、ＵＥ２はＢＳ１に近く、かかる場合、
（外２４）
0005764666.tif 000025
である。それゆえ、ＢＳ１のアップリンク受信時点
（外２５）
0005764666.tif 000026
を調節することにより、上記の
（外２６）
0005764666.tif 000027
は、送信同期の要求を満たし、例えば、
（外２７）
0005764666.tif 000028
となる。
【００３２】
特に、ＢＳ１のアップリンク受信時点をＢＳ２のアップリンク受信時点と一致するように調節する場合、すなわち、
（外２８）
0005764666.tif 000029
である場合、最悪の場合には、
（外２９）
0005764666.tif 000030
である。例えば、カバレッジが１０００ｍであるマクロ基地局の場合、基地局とＵＥとの間の伝搬遅延は、
（外３０）
0005764666.tif 000031
である。上記の計算に基づき、１ＣＰの長さは約４．７μｓである。最大伝搬遅延は３．３３μｓなので、ＢＳ１のアップリンク受信時点をＢＳ２のアップリンク受信時点と一致するように調節すると、送信同期に対する要求が満たせる。
【００３３】
上記の分析から、同期時間を調節する必要がある基地局のアップリンク受信時点を、同期時間基準として機能する基地局のアップリンク受信時点と一致するように調節し、同期時間を調節する必要がある基地局のダウンリンク送信時点を、同期時間基準として機能する基地局のダウンリンク受信時点と一致するように調節する場合、送信同期に対する要求を満たす必要がある。
【００３４】
図６は、本発明の他の一実施形態による基地局間の同期方法を示すフローチャートである。該方法は次の内容を含む。
【００３５】
６１:ＵＥが同期情報を取得する。
【００３６】
６２:ＵＥが、第１基地局に同期情報を送信する。第１基地局はＵＥのサービング基地局であり、同期情報は、第１基地局が第１基地局のダウンリンク送信時点とアップリンク受信時点とを調整するのに用いられ、第１基地局のダウンリンク送信時点と同期時間基準として機能する第２基地局のダウンリンク送信時点との間の一貫性を保ち、第１基地局のアップリンク受信時点と第２基地局のアップリンク受信時点との間の一貫性を保つようにする。
【００３７】
この実施形態では、第１基地局は、第１基地局によりサーブされているユーザ装置によりレポートされた同期情報により、第１基地局のダウンリンク送信時点とアップリンク受信時点を調節し、第１基地局のダウンリンク送信時点と同期時間基準として機能する第２基地局のダウンリンク送信時点との間の一貫性を維持し、第１基地局のアップリンク受信時点と同期時間基準として機能する第２基地局のアップリンク受信時点との間の一貫性を維持し、第１基地局と第２基地局との間の同期を実現する。基地局間を同期する上記の技術的ソリューションでは、同期時間をポイントとして調節する必要がある基地局（すなわち第１基地局）のカバレッジを仮定する必要はない。それゆえ、適用範囲は、大きく、同期時間を調節する必要がある低出力基地局と、同期時間基準として機能する高出力基地局との間の同期に限定されない。
【００３８】
任意的に、ユーザ装置は同期情報を取得する。これは以下を含む：ユーザ装置が、第２基地局のダウンリンク送信時点及び／又はアップリンク受信時点を取得する。具体的に、ユーザ装置は、ユーザ装置が大２基地局により送信されたダウンリンクフレームを受信する時点と、ユーザ装置と第２基地局との間の伝搬遅延とにより、第２基地局のダウンリンク送信時点を取得する。ユーザ装置は、ユーザ装置が第２基地局へのアップリンクフレームを送信する時点と、ユーザ装置と第２基地局との間の伝搬遅延とにより、第２基地局のアップリンク受信時点を取得する。
【００３９】
任意的に、ユーザ装置は同期情報を取得する。これは以下を含む：ユーザ装置は、第１基地局のダウンリンク送信時点と第２基地局のダウンリンク送信時点との間の時間差を取得し、及び／又は、第１基地局のアップリンク受信時点と第２基地局のアップリンク受信時点との間の時間差を取得する。具体的に、ユーザ装置は、そのユーザ装置が第１基地局により送信されたダウンリンクフレームを受信する時点と、ユーザ装置と第１基地局との間の伝搬遅延とにより、第１基地局のダウンリンク送信時点を取得し、ユーザ装置は、そのユーザ装置が第２基地局により送信されたダウンリンクフレームを受信する時点と、ユーザ装置と第２基地局との間の伝搬遅延とにより、第２基地局のダウンリンク送信時点を取得し、ユーザ装置は、第１基地局のダウンリンク送信時点と第２基地局のダウンリンク送信時点とにより、第１基地局のダウンリンク送信時点と第２基地局のダウンリンク送信時点との間の時間差を取得する。
【００４０】
ユーザ装置は、そのユーザ装置が第１基地局へのアップリンクフレームを送信する時点と、ユーザ装置と第１基地局との間の伝搬遅延とにより、第１基地局のアップリンク受信時点を取得し、ユーザ装置は、そのユーザ装置が第２基地局へのアップリンクフレームを送信する時点と、ユーザ装置と第２基地局との間の伝搬遅延とにより、第２基地局のアップリンク受信時点を取得し、ユーザ装置は、第１基地局のアップリンク受信時点と第２基地局のアップリンク受信時点とにより、第１基地局のアップリンク受信時点と第２基地局のアップリンク受信時点との間の時間差を取得する。
【００４１】
任意的に、ユーザ装置が同期情報を取得する前に、さらに以下を含む：第１基地局により送信された命令メッセージを受信するステップ。前記命令メッセージは、ユーザ装置に、前記命令メッセージ受信後に同期情報を送信するように命令するために用いられ、又は前記命令メッセージは、期間値を担い、前記命令メッセージは、ユーザ装置に、前記期間値に従って同期情報を周期的に送信するように命令するために用いられる。
【００４２】
以下の実施形態では、基地局がＵＥをトリガーして同期情報をレポートさせるものを一例として取り上げる。以下の実施形態では、第１基地局は同期時間を調節する必要がある基地局であり、ＵＥのサービング基地局であり；第２基地局は同期時間基準として機能する基地局である。
【００４３】
図７は、本発明の他の一実施形態による基地局間の同期方法を示すフローチャートである。この実施形態では、同期時間基準として機能する第２基地局のダウンリンク送信時点とアップリンク受信時点を含む同期情報を一例として取り上げる。図７を参照して、この実施形態はつぎのコンテンツを含む。
【００４４】
７１:第１基地局は、ＵＥに命令メッセージを送信し、ＵＥをトリガーして同期情報測定を実行させる。
【００４５】
７２:ＵＥは、第２基地局により制御されたセルから、第１基地局により制御されたセルにハンドオーバするか決定する。ＹＥＳであれば、直接ステップ７５を実行し、そうでなければステップ７３を実行する。
【００４６】
例えば、ＵＥは、第１基地局により送信された命令メッセージを受信した時、第１基地局により制御されたセルに所在し、履歴情報を記憶しており、記憶されている履歴情報に応じて、第２基地局により制御されたセルから第１基地局により制御されたセルにハンドオーバするか決定できる。
【００４７】
７３:ＵＥは、第２基地局により制御されたセルの同期信号を測定し、ＵＥが第２基地局により送信されたダウンリンクフレームを受信する受信時点
（外３１）
0005764666.tif 000032
を取得する。
【００４８】
７４:ＵＥは、第２基地局により制御されたセルにおけるＰＲＡＣＨ（Physical  Random  Access  Channel）プロセスを開始し、第２基地局により制御されたセルにおけるアップリンク送信時点
（外３２）
0005764666.tif 000033
と、ＵＥと第２基地局との間の伝搬遅延
（外３３）
0005764666.tif 000034
とを取得する。
【００４９】
７５:ＵＥは、第２基地局のアップリング受信時点
（外３４）
0005764666.tif 000035
とダウンリンク送信時点
（外３５）
0005764666.tif 000036
を取得する。
【００５０】
あるインプリメンテーションプロセスでは、ＵＥは、第２基地局により制御されたセルから第１基地局により制御されたセルにハンドオーバするとき、履歴情報から直接的に第２基地局のアップリンク受信時点とダウンリンク送信時点を取得する。ＵＥは、第２基地局により制御されたセルから第１基地局により制御されたセルにハンドオーバしないとき、例えばステップ７３と７４で取得したパラメータに基づく計算により、第２基地局のアップリンク受信時点
（外３６）
0005764666.tif 000037
とダウンリンク送信時点
（外３７）
0005764666.tif 000038
を取得する。計算は次式：
（外３８）
0005764666.tif 000039
及び
（外３９）
0005764666.tif 000040
により行われる。
【００５１】
７６:ＵＥは、第１基地局に第２基地局のアップリンク受信時点とダウンリンク送信時点を送る。ここで、ＵＥは、イベントに応じて、又は定期的に、同期情報（特に第２基地局のアップリンク受信時点とダウンリンク送信時点）を送信する。すなわち、ＵＥは、命令メッセージによりトリガーされることにより同期情報を取得した後、同期情報を第１基地局にレポートする。また、命令メッセージが期間値を担い、ＵＥはその期間値に応じて同期情報を定期的にレポートする。期間値がｘである場合、ＵＥはｘを周期として、同期情報をレポートする。
【００５２】
７７:第１基地局は、ＵＥにより送信された第２基地局のアップリンク受信時点とダウンリンク送信時点を受信し、第１基地局のアップリンク受信時点を第２基地局のアップリンク受信時点と一致するように調節し、第１基地局のダウンリンク送信時点を第２基地局のダウンリンク送信時点と一致するように調節する。すなわち、調節後の第１基地局のアップリンク受信時点＝
（外４０）
0005764666.tif 000041
であり、調節後の第１基地局のダウンリンク送信時点＝
（外４１）
0005764666.tif 000042
である。
【００５３】
この実施形態では、同期時間を調節する必要がある基地局は、同期時間基準として機能する基地局のダウンリンク送信時点とアップリンク受信時点に基づき、基地局のダウンリンク送信時点とアップリンク受信時点を調節する。調節後の時点と、同期時間基準として機能する基地局のダウンリンク送信時点とアップリンク受信時点との間の一貫性を維持するために、ダウンリンク送信時点とアップリンク受信時点は、同期時間を調節する必要がある基地局によりサーブされたＵＥによりレポートされ、それにより基地局間の同期が実現される。さらに、この実施形態では、同期時間を一時点として調節する必要がある基地局のカバレッジを仮定する必要はない。それゆえ、適用範囲は、大きく、同期時間を調節する必要がある低出力基地局と、同期時間基準として機能する高出力基地局との間の同期に限定されない。さらに、同期時間基準として機能する基地局のダウンリンク送信時点とアップリンク受信時点を用いることにより、この実施形態を、ダウンリンク送信時点がアップリンク受信時点と一致するシナリオに適用できる。
【００５４】
図８は、本発明の他の一実施形態による基地局間の同期方法を示すフローチャートである。この実施形態では、第１基地局のダウンリンク送信時点と第２基地局のダウンリンク送信時点との間の時間差と、第１基地局のアップリンク受信時点と第２基地局のアップリンク受信時点との間の時間差とを一例に取る。図８を参照して、この実施形態はつぎのコンテンツを含む。
【００５５】
８１:第１基地局は、ＵＥに命令メッセージを送信する。命令メッセージは、ＵＥをトリガーして同期情報測定を実行させるために用いられる。
【００５６】
８２:ＵＥは、第１基地局により送信された命令メッセージを受信した後、第１基地局により制御されたセルの同期信号を測定し、ＵＥが第１基地局により送信されたダウンリンクフレームを受信する受信時点
（外４２）
0005764666.tif 000043
を取得する。
【００５７】
８３:ＵＥは、第１基地局により制御されたセルにおけるＰＲＡＣＨプロセスを開始し、第１基地局により制御されたセルにおけるアップリンク送信時点
（外４３）
0005764666.tif 000044
と、ＵＥと第１基地局との間の伝搬遅延
（外４４）
0005764666.tif 000045
とを取得する。
【００５８】
８４:ＵＥは、第２基地局により制御されたセルから、第１基地局により制御されたセルにハンドオーバするか決定する。ＹＥＳであれば、直接ステップ８７を実行し、そうでなければステップ８５を実行する。
【００５９】
例えば、ＵＥは、履歴情報を記憶し、記憶した履歴情報に基づき、第２基地局により制御されたセルからハンドオーバするか決定することができる。
【００６０】
８５:ＵＥは、第２基地局により制御されたセルの同期信号を測定し、ＵＥが第２基地局により送信されたダウンリンクフレームを受信する受信時点
（外４５）
0005764666.tif 000046
を取得する。
【００６１】
８６:ＵＥは、第２基地局により制御されたセルにおけるＰＲＡＣＨプロセスを開始し、第２基地局により制御されたセルにおけるアップリンク送信時点
（外４６）
0005764666.tif 000047
と、ＵＥと第２基地局との間の伝搬遅延
（外４７）
0005764666.tif 000048
とを取得する。
【００６２】
８７:ＵＥは、第１基地局のアップリンク受信時点
（外４８）
0005764666.tif 000049
と第２基地局のアップリンク受信時点
（外４９）
0005764666.tif 000050
との間の時間差
（外５０）
0005764666.tif 000051
と、第１基地局のダウンリンク送信時点
（外５１）
0005764666.tif 000052
と第２基地局のダウンリンク送信時点
（外５２）
0005764666.tif 000053
との間の時間差
（外５３）
0005764666.tif 000054
とを取得する。
ここで、
（外５４）
0005764666.tif 000055
及び
（外５５）
0005764666.tif 000056
である。
【００６３】
あるインプリメンテーションプロセスでは、ＵＥは、第２基地局により制御されたセルから第１基地局により制御されたセルにハンドオーバするとき、履歴情報から直接的に第２基地局のアップリンク受信時点
（外５６）
0005764666.tif 000057
とダウンリンク送信時点
（外５７）
0005764666.tif 000058
を取得することができる。ＵＥが第２基地局により制御されたセルから第１基地局により制御されたセルにハンドオーバしないとき、
（外５８）
0005764666.tif 000059
と
（外５９）
0005764666.tif 000060
は、次式
（外６０）
0005764666.tif 000061
及び
（外６１）
0005764666.tif 000062
により計算される。
【００６４】
次に、
（外６２）
0005764666.tif 000063
、
（外６３）
0005764666.tif 000064
、
（外６４）
0005764666.tif 000065
及び
（外６５）
0005764666.tif 000066
により、次式
（外６６）
0005764666.tif 000067
;
（外６７）
0005764666.tif 000068
により時間差
（外６８）
0005764666.tif 000069
と
（外６９）
0005764666.tif 000070
を計算する。
【００６５】
８８:ＵＥは、第１基地局に時間差
（外７０）
0005764666.tif 000071
及び
（外７１）
0005764666.tif 000072
を送る。ここで、ＵＥは、イベントに応じて、又は定期的に、同期情報（具体的には時間差
（外７２）
0005764666.tif 000073
及び
（外７３）
0005764666.tif 000074
である）を送信する。すなわち、ＵＥは、命令メッセージによりトリガーされることにより同期情報を取得した後、同期情報を第１基地局にレポートする。また、命令メッセージが期間値を担い、ＵＥはその期間値に応じて同期情報を定期的にレポートする。期間値がｘである場合、ＵＥはｘを周期として、同期情報をレポートする。
【００６６】
８９:ＵＥにより送信された時間差
（外７４）
0005764666.tif 000075
及び
（外７５）
0005764666.tif 000076
を受信した後、第１基地局は時間差に応じて第１基地局のアップリンク受信時点とダウンリンク送信時点を調節して、第１基地局のアップリンク受信時点と第２基地局のアップリンク受信時点との間の一貫性を維持し、第１基地局のダウンリンク送信時点と第２基地局のダウンリンク送信時点との間の一貫性を維持するようにする。すなわち、
調節後の第１基地局のアップリンク受信時点＝調整前の第１基地局のアップリンク受信時点
（外７６）
0005764666.tif 000077
；
調節後の第１基地局のダウンリンク送信時点＝調整前の第１基地局のダウンリンク送信時点
（外７７）
0005764666.tif 000078
。
【００６７】
本実施形態では、同期時間を調節する必要がある基地局は、基地局によりサーブされたＵＥによりレポートされた時間差に従って、基地局のダウンリンク送信時点アップリンク受信時点を調節し、調節後の時点と、同期時間基準として機能する基地局のダウンリンク送信時点及びアップリンク受信時点との間の一貫性を維持し、それにより基地局間の同期を実現する。さらに、本実施形態では、同期時間を時点として調節する必要がある基地局のカバレッジを仮定する必要はなく、それゆえ、適用範囲が広く、同期時間を調節する必要がある小出力基地局と、同期時間基準として機能する大出力基地局との間の同期に限定されない。
【００６８】
図７は、第２基地局のアップリンク受信時点とダウンリンク送信時点に従って実行する調節を示し、図８は、第１基地局のアップリンク受信時点と第２基地局のアップリンク受信時点との間の時間差と、第１基地局のダウンリンク送信時点と第２基地局のダウンリンク送信時点との間の時間差とに従って実行する調節を示す。任意的に、第２基地局のアップリンク受信時点とダウンリンク送信時点が同じであるとき、調節は第２基地局のアップリンク受信時点又はダウンリンク送信時点に従って実行されてもよいし、又は第１基地局のアップリンク受信時点と第２基地局のアップリンク受信時点との間の時間差に従って、又は第１基地局のダウンリンク送信時点と第２基地局のダウンリンク送信時点との間の時間差に従って実行されてもよい。このように、レポートされる情報の量が減り、オーバーヘッドが小さくなる。レポートされる同期情報は、第２基地局のアップリンク受信時点又はダウンリンク送信時点のみを含み、又は第１基地局のアップリンク受信時点と第２基地局のアップリンク受信時点との間の時間差、及び第１基地局のダウンリンク送信時点と第２基地局のダウンリンク送信時点との間の時間差のみを含む。
【００６９】
図９は、本発明の一実施形態による基地局を示す構造図である。本実施形態における基地局９０は、上記の実施形態で提供した基地局間の同期方法をインプリメントするように構成されている。基地局９０は、同期時間を調節する必要がある第１基地局であり、受信部９１と調節部９２とを含む。受信部９１は、ユーザ装置により送信された同期情報を受信するように構成さている。調節部９２は、同期情報に従って、第１基地局のダウンリンク送信時点とアップリンク受信時点とを調整し、第１基地局のダウンリンク送信時点と同期時間基準として機能する第２基地局のダウンリンク送信時点との間の一貫性を保ち、第１基地局のアップリンク受信時点と第２基地局のアップリンク受信時点との間の一貫性を保つように構成されている。
【００７０】
任意的に、同期情報は、第２基地局のダウンリンク送信時点及び／又はアップリンク受信時点を含む。調整部９２は、具体的に、第２基地局のダウンリンク送信時点とアップリンク受信時点が異なり、受信部９１により受信された同期情報が第２基地局のダウンリンク送信時点とアップリンク受信時点を含む時、第２基地局のダウンリンク送信時点に従って、第１基地局のダウンリンク送信時点を第２基地局のダウンリンク送信時点と一致するように調節し、第２基地局のアップリンク受信時点に従って、第１基地局のアップリンク受信時点を第２基地局のアップリンク受信時点と一致するように調節するように構成されている。あるいは、調節部９２は、具体的に、第２基地局のダウンリンク送信時点とアップリンク受信時点が同じであり、受信部９１により受信された同期情報が第２基地局のダウンリンク送信時点又はアップリンク受信時点を含むとき、第２基地局のダウンリンク送信時点とアップリンク受信時点とに従って、第１基地局のダウンリンク送信時点及びアップリンク受信時点を第２基地局のダウンリンク送信時点又はアップリンク受信時点と一致するように調節するように構成されている。
【００７１】
任意的に、同期情報は、第１基地局のダウンリンク送信時点と第２基地局のダウンリンク送信時点との間の時間差、及び／又は第１基地局のアップリンク受信時点と第２基地局のアップリンク受信時点との間の時間差を含む。調整部９２は、受信部９１により受信された同期情報が第１基地局のダウンリンク送信時点と第２基地局のダウンリンク送信時点との間の時間差と、第１基地局のアップリンク受信時点と第２基地局のアップリンク受信時点との間の時間差とを含む時、第１基地局のダウンリンク送信時点と第２基地局のダウンリンク送信時点との間の時間差に応じて、第１基地局のダウンリンク送信時点を第２基地局のダウンリンク送信時点と一致するように調節し、第１基地局のアップリンク受信時点と第２基地局のアップリンク受信時点との間の時間差に応じて、第１基地局のアップリンク受信時点を第２基地局のアップリンク受信時点と一致するように調節するように構成されている。あるいは、調整部９２は、第２基地局のダウンリンク送信時点とアップリンク受信時点とが同じであり、受信部９１により受信された同期情報が第１基地局のダウンリンク送信時点と第２基地局のダウンリンク送信時点との間の時間差、又は第１基地局のアップリンク受信時点と第２基地局のアップリンク受信時点との間の時間差を含む時、第１基地局のダウンリンク送信時点と第２基地局のダウンリンク送信時点との間の時間差、又は第１基地局のアップリンク受信時点と第２基地局のアップリンク受信時点との間の時間差に応じて、第１基地局のダウンリンク送信時点を第２基地局のダウンリンク送信時点と一致するように、及び第１基地局のアップリンク受信時点を第２基地局のアップリンク受信時点と一致するように、調節するように構成されている。
【００７２】
任意的に、第１基地局９０は、さらに送信部９３を含む。送信部９３は、ユーザ装置に命令メッセージを送信するように構成されている。前記命令メッセージは、ユーザ装置に、前記命令メッセージ受信後に同期情報をレポートするように命令するために用いられ、又は前記命令メッセージは、期間値を担い、前記命令メッセージは、ユーザ装置に、前記期間値に従って同期情報を周期的にレポートするように命令するために用いられる。
【００７３】
本実施形態では、同期時間を調節する必要がある基地局は、基地局によりサーブされたＵＥによりレポートされた同期情報に従って、基地局のダウンリンク送信時点アップリンク受信時点を調節し、調節後の時点と、同期時間基準として機能する基地局のダウンリンク送信時点及びアップリンク受信時点との間の一貫性を維持し、それにより基地局間の同期を実現する。さらに、この実施形態では、同期時間を一時点として調節する必要がある基地局のカバレッジを仮定する必要はない。それゆえ、適用範囲は、大きく、同期時間を調節する必要がある低出力基地局と、同期時間基準として機能する高出力基地局との間の同期に限定されない。
【００７４】
図１０は、本発明の一実施形態によるユーザ装置を示す構成図である。本実施形態におけるユーザ装置１００は、上記の実施形態で提供した基地局間の同期方法をインプリメントするように構成されている。図１０に示したように、ユーザ装置１００は取得部１０１と送信部１０２とを含む。取得部１０１は同期情報を取得するように構成されている。送信部１０２は、ユーザ端末１００のサービング基地局に同期情報を送信するように構成されている。同期情報は、サービング基地局がそのサービング基地局のダウンリンク送信時点とアップリンク受信時点を調節し、サービング基地局のダウンリンク送信時点と同期時間基準として機能する第２基地局のダウンリンク送信時点との間の一貫性を維持し、サービング基地局のアップリンク受信時点と第２基地局のアップリンク受信時点との間の一貫性を維持するように用いられる。
【００７５】
任意的に、同期情報は、第２基地局のダウンリンク送信時点及び／又はアップリンク受信時点を含む。取得部１０１は、第２基地局のダウンリンク送信時点とアップリンク受信時点.を取得するように構成されている。取得部１０１は、ユーザ装置１００が第２基地局により送信されたダウンリンクフレームを受信する時点と、ユーザ装置１００と第２基地局との間の伝搬遅延とに従って、第２基地局のダウンリンク送信時点を取得するように構成された第１副取得部、及び／又は  ユーザ装置１００が第２基地局にアップリンクフレームを送信する時点と、ユーザ装置１００と第２基地局との間の伝搬遅延とに従って、第２基地局のアップリンク受信時点を取得するように構成された第２副取得部を含む。
【００７６】
任意的に、同期情報は、第１基地局のダウンリンク送信時点と第２基地局のダウンリンク送信時点との間の時間差、及び／又は第１基地局のアップリンク受信時点と第２基地局のアップリンク受信時点との間の時間差を含む。取得部１０１は、ユーザ装置は、第１基地局のダウンリンク送信時点と第２基地局のダウンリンク送信時点との間の時間差を取得し、及び／又は、第１基地局のアップリンク受信時点と第２基地局のアップリンク受信時点との間の時間差を取得するように構成されている。取得部１０１は、次の要素を含む：そのユーザ装置１００が第１基地局により送信されたダウンリンクフレームを受信する時点と、ユーザ装置１００と第１基地局との間の伝搬遅延とにより、第１基地局のダウンリンク送信時点を取得し、第２基地局により送信されたダウンリンクフレームを受信する時点と、ユーザ装置１００と第２基地局との間の伝搬遅延とにより、第２基地局のダウンリンク送信時点を取得し、第１基地局のダウンリンク送信時点と第２基地局のダウンリンク送信時点とにより、第１基地局のダウンリンク送信時点と第２基地局のダウンリンク送信時点との間の時間差を取得するように構成された第３副取得部１０１３、及び／又はそのユーザ装置１００が第１基地局へのアップリンクフレームを送信する時点と、ユーザ装置１００と第１基地局との間の伝搬遅延とにより、第１基地局のアップリンク受信時点を取得し、ユーザ装置１００が第２基地局にアップリンクフレームを送信する時点と、ユーザ装置１００と第２基地局との間の伝搬遅延とにより、第２基地局のアップリンク受信時点を取得し、第１基地局のアップリンク受信時点と第２基地局のアップリンク受信時点とにより、第１基地局のアップリンク受信時点と第２基地局のアップリンク受信時点との間の時間差を取得するように構成された副取得部１０１４とを有する。
【００７７】
任意的に、ユーザ装置１００は、さらに受信部１０３を含む。受信部１０３は、第１基地局により送信された命令メッセージを受信するように構成されている。前記命令メッセージは、ユーザ装置１００に、前記命令メッセージ受信後に同期情報を送信するように命令するために用いられ、又は前記命令メッセージは、期間値を担い、前記命令メッセージは、ユーザ装置１００に、前記期間値に従って同期情報を周期的にレポートするように命令するために用いられる。
【００７８】
本実施形態では、同期時間を調節する必要がある基地局は、基地局によりサーブされたＵＥによりレポートされた同期情報に従って、基地局のダウンリンク送信時点アップリンク受信時点を調節し、調節後の時点と、同期時間基準として機能する基地局のダウンリンク送信時点及びアップリンク受信時点との間の一貫性を維持し、それにより基地局間の同期を実現する。さらに、この実施形態では、同期時間を一時点として調節する必要がある基地局のカバレッジを仮定する必要はない。それゆえ、適用範囲は、大きく、同期時間を調節する必要がある低出力基地局と、同期時間基準として機能する高出力基地局との間の同期に限定されない。
【００７９】
図１１は本発明の一実施形態による通信システムを示す構成図である。通信システム１１０は、図９に示した基地局９０と、図１０に示したユーザ装置１００とを含む。通信システム１１０の基地局９０とユーザ装置１００の構造と機能については、上記の実施形態を参照し、ここでは説明をくり返さない。
【００８０】
上記実施形態において「第１」と「第２」とは、異なる基地局を区別するために用いたものであり、基地局を限定するものではない。
【００８１】
当業者には言うまでもなく、上記実施形態の方法のステップの全部又は一部は、プログラムにより命令された関連ハードウェアにより実施してもよい。上記のプログラムはコンピュータ読み取り可能記憶媒体に格納してもよい。プログラムが実行されると、前述の方法の実施形態のステップが実行される。上記の記憶媒体は、ＲＯＭ、ＲＡＭ、磁気ディスク、光ディスクなどを含み得る。
【００８２】
最後に、言うまでもなく、上記の実施形態は、本発明を限定するものではなく、本発明の技術的ソリューションを説明することを意図したものである。本発明を上記の実施形態を参照して詳細に説明したが、本技術分野の当業者には言うまでもなく、本発明の実施形態の技術的解決策の精神と範囲から逸脱することなく、上記の実施形態で説明した技術的解決策を修正し、技術的解決策の技術的特徴を等価なもので置き換えることができる。
【００８３】
＜関連出願への相互参照＞
本出願は、２０１０年１２月１０日に出願した中国特許出願第２０１０１０５９５９１３.４号（発明の名称「METHOD,  APPARATUS  AND  SYSTEM  FOR  SYNCHRONIZATION  BETWEEN  BASE  STATIONS」）の優先権を主張するものである。上記出願はここにその全体を参照援用する。
【図１】
0005764666.tif 000079
【図２】
0005764666.tif 000080
【図３】
0005764666.tif 000081
【図４】
0005764666.tif 000082
【図５】
0005764666.tif 000083
【図６】
0005764666.tif 000084
【図７】
0005764666.tif 000085
【図８】
0005764666.tif 000086
【図９】
0005764666.tif 000087
【図１０】
0005764666.tif 000088
【図１１】
0005764666.tif 000089